(57)【要約】【課題】ＬＥＤ発光体の特性を利用して、従来の投光特性を損ねることなく光の投光範囲を広げ、安全灯として使用できる小型携帯電灯を提供する。【解決手段】偏平状に形成され、回路基板１６と板状電池１７とを積層して収容する本体ケース２と、発光部１３の照射軸を上記本体ケースから外側に向けて保持されるとともに、上記発光部の後部から延出するリード線が上記回路基板に接続されたＬＥＤ発光体１２と、上記回路基板の接点に接触離間させられて上記発光体の点滅操作を行う操作部１４とを備え、上記本体ケースに、上記発光体が上記照射軸以外の方向へ放射する光を外部へ投光する投光部１５を設けて構成される。【選択図】　図９
2004103413.tif 000002
【特許請求の範囲】
【請求項１】
偏平状に形成され、回路基板と板状電池とを積層して収容する本体ケースと、
発光部の照射軸を上記本体ケースから外側に向けて保持されるとともに、上記発光部の後部から延出するリード線が上記回路基板に接続されたＬＥＤ発光体と、
上記回路基板の接点に接触離間させられて上記発光体の点滅操作を行うスイッチ部とを備え、
上記本体ケースに、上記発光体が上記照射軸以外の方向へ放射する光を外部へ投光する投光部を設けた、小型携帯電灯。
【請求項２】
上記投光部は、上記発光体が放射する光を外部へ投光するとともに、本体ケースの外部から入射する光を反射できる反射投光部である、請求項１に記載の小型携帯電灯。
【請求項３】
上記発光体は、先端部を上記投光部又は上記反射投光部を設けた偏平面から露出するように保持されている、請求項１又は請求項２のいずれかに記載の小型携帯電灯。
【請求項４】
上記反射投光部を透明材料で形成するとともに、上記反射投光部の内面又は外面に、外部から入射する光を反射できるとともに、上記発光体から上記本体ケース内に放射される光を外部へ投光できる凹凸を形成した、請求項２から請求項３のいずれかに記載の小型携帯電灯。
【請求項５】
上記本体ケースの上記発光体を囲む部分に、発光体の側部から放射される光を上記投光部又は上記反射投光部へ導く導光部を設けた、請求項１から請求項４のいずれかに記載の小型携帯電灯。
【請求項６】
上記投光部又は上記反射投光部を除く本体ケースの内側面又は外側面に、本体ケース内に放射された光を反射する反射層を形成した、請求項１から請求項５のいずれかに記載の小型携帯電灯。
【請求項７】
上記発光体の照射軸を上記回路基板と上記板状電池の積層方向に設定するとともに、上記発光体を上記回路基板と上記板状電池の積層部の側部に保持した、請求項１から請求項６のいずれかに記載の小型携帯電灯。
【請求項８】
上記回路基板の中央部に穴部を設け、この穴部に上記発光体の基端部を埋め込むように保持した、請求項７に記載の小型携帯電灯。
【請求項９】
上記本体ケースの縁部に一端を連結した弾性帯と、
上記本体ケースの上縁部ないし側縁部に形成され、上記弾性帯を掛止できる掛止手段と、
上記本体ケースにおける上記投光部又は反射投光部と反対側の偏平面に形成され、取付対象物に対接させられる対接部とを設け、
上記対接部を上記取付対象物に当接させた状態で、上記弾性帯を上記取付対象物及び上記掛止手段に掛け回して、上記本体を上記取付対象物に取り付けるように構成した、請求項１から請求項８のいずれかに記載の小型携帯電灯。
【請求項１０】
上記掛止手段が本体ケース縁部に形成した凹溝である、請求項９に記載の小型携帯電灯。
【請求項１１】
上記掛止手段が上記本体ケース表面から突出する凸条又は突起である、請求項９に記載の小型携帯電灯。
【請求項１２】
上記対接部が凹部である、請求項９から請求項１１のいずれかに記載の小型携帯電灯。
【請求項１３】
本体ケースに保持された発光体から上記発光体の照射軸方向へ投光するとともに、上記発光体の上記照射軸方向以外の方向へ放射される光を、上記本体ケースの所定部位から外部へ投光する、携帯電灯における投光方法。
【発明の詳細な説明】
【０００１】
【発明の属する技術分野】
本願発明は、小型携帯電灯に関する。詳しくは、発光体の照射軸方向を高い照度で照らすことができるとともに、本体ケース表面の所定の部位から光を放射し、視認性を高めて安全灯あるいは反射板として使用できる小型携帯電灯に関する。
【０００２】
【従来の技術】
近年、非常に小型で高輝度のＬＥＤ発光体が開発された。この高輝度ＬＥＤを用いることにより、懐中電灯の発光部位の寸法を極めて小さくすることが可能となった。
【０００３】
【特許文献１】
特開平２００１−３５７７０１号
【０００４】
本願発明の発明者は、上記特開平２００１−３５７７０１号公報に記載されているように、上記高輝度ＬＥＤを用いて、非常に小型で、キーホルダのように携帯することができ、しかも、特殊な装置や部品等を用いることなく使用者の指先や他の機器に容易に装着して使用することができる小型携帯電灯を開発した。
【０００５】
【発明が解決しようとする課題】
上記公報に記載されている小型携帯電灯は、種々の部材に容易に装着して使用することができる。このため、自転車のハンドルバーやシートポストに装着して、車体前方あるいは後方へ光を投光し、安全灯として使用されることが多い。
【０００６】
上記高輝度ＬＥＤは、遠くまで光が届くが光の直進性が高いため、照射範囲は狭い。このため、安全灯としてして使用する場合、斜め方向からの視認性が低下するとっいった問題がある。
【０００７】
また、懐中電灯として使用する場合にも、照度は高いが照射範囲が狭いといった問題があった。
【０００８】
本願発明は、上述の問題を解決し、ＬＥＤ光源の特性を利用して、従来の投光特性を損ねることなく光の投光範囲を広げ、安全灯灯としても十分に使用できる、小型携帯電灯を提供することを課題とする。
【０００９】
【課題を解決するための手段】
上記課題を解決するため、本願発明では、次の技術的手段を講じている。
【００１０】
本願の請求項１に記載した発明は、偏平状に形成され、回路基板と板状電池とを積層して収容する本体ケースと、発光部の照射軸を上記本体ケースから外側に向けて保持されるとともに、上記発光部の後部から延出するリード線が上記回路基板に接続されたＬＥＤ発光体と、上記回路基板の接点に接触離間させられて上記発光体の点滅操作を行うスイッチ部とを備え、上記本体ケースに、上記発光体が上記照射軸以外の方向へ放射する光を外部へ投光する投光部を設けた小型携帯電灯に関するものである。
【００１１】
ＬＥＤ発光体は、光に直進性を持たせるため、発光部が筒状のレンズと一体的に形成されたものが多い。上記筒状のレンズの先端部から光を投光することにより、光を遠くにまで届けることが可能となる。
【００１２】
一方、発光素子から放射されるすべての光を上記筒状レンズの先端部から投光することはできず、円柱状の側部からも光が放射される。しかも、側部から放射される光もある程度の明るさがある。本願発明は、上記側部から放射される光を利用して、本体ケース外面から投光できるように構成したものである。
【００１３】
本体ケースを偏平状に形成して、回路基板と板状電池とを積層して収容することにより、本体ケースを小型化することが可能となり、携帯性が高まる。偏平状であれば、その形態は特に限定されることはない。たとえば、平面視楕円状、方形状、三角状等種々の形態を採用できる。また、上記本体ケースの材質は特に限定されることはないが、少なくとも投光部は透明樹脂で形成される。
【００１４】
上記発光体は、照射軸を上記本体ケースから外側に向けて保持される。上記照射軸の方向は特に限定されることはない。照射軸を本体ケースの縁部から側方に向けて保持することもできるし、本体ケースの偏平面と直交する方向に向けて保持することもできる。これにより、発光体から放射される直進光の輝度が低下することはなく、従来と同様に遠くにまで光を投光することが可能となる。
【００１５】
上記スイッチ部の構成は特に限定されることはないが、携帯電灯の小型化を図るため、基板面に直接形成するのが好ましい。また、種々の点灯パターンを選択できるような点灯回路を設けるのが好ましい。たとえば、一定間隔で点滅するように構成することにより視認性が高まり、また、電池の消耗を抑えることも可能となる。
【００１６】
本願発明では、上記本体ケースに、上記発光体が上記照射軸以外の方向へ放射する光を外部へ投光する投光部を設ける。
【００１７】
上記投光部の形態、大きさ、位置等は特に限定されることはないが、視認性を高めるため、本体ケース外面の広い面積から投光を行うように形成するのが好ましい。さらに、本体ケースの偏平面に上記投光部を設け、表面の広い面積から光を投光できるように構成するのが好ましい。また、光の効率を高めるため、上記発光体の近傍に投光部を設定するのが好ましい。投光部を設ける部位も一箇所に限定されることはなく、偏平面の複数の部位から光を投光できるように構成することもできる。また、携帯電灯に発光体の放射光を利用して従来にないデザインを付与することも可能となり、照明以外の目的に使用することも可能となる。
【００１８】
上記投光部は、請求項２に記載した発明のように、上記発光体が放射する光を外部へ投光するとともに、本体ケースの外部から入射する光を反射できる反射投光部として形成するのが好ましい。
【００１９】
請求項１に記載した発明に係る投光部は、発光体の側部から漏れ出る光を有効利用するものであり、発光体の直進光に比べて光は弱い。
【００２０】
上記投光部に反射機能を付加して反射投光部とすることにより、外部から入射する光が反射させられて、上記投光部から投光される光と相乗効果を期待することができる。このため、夜間等における視認性が格段に高まる。
【００２１】
上記反射投光部の構成は特に限定されることはない。たとえば、投光機能を発揮する部分と反射機能を発揮する部分とを別形態で構成し、偏平面の一定範囲に、これら機能を発揮する部分を交互に配列して反射投光部を形成することもできる。また、反射機能と投光機能とを同一形態の部分で発揮できる反射投光部を形成してもよい。
【００２２】
本願の請求項３に記載した発明は、上記発光体の先端部が、上記投光部又は上記反射投光部を設けた偏平面から露出するように保持されているものである。
【００２３】
上記構成によって、発光体から照射軸方向に向かう光の強度が低下するのを防止できる。また、発光体から投光される光と、上記投光部から投光される光とが、ほぼ同一の方向へ向かうように設定できる。これにより、遠方では発光体の光のみ視認することが出来ない場合であっても、近づくに従って投光範囲が広がるため、視認性が高まる。また、発光体近傍の偏平面の広い範囲から投光できるため、上記発光体の投光範囲を実質的に広げる効果も期待できる。
【００２４】
上記発光体の保持位置と上記投光部の位置関係は特に限定されることはない。投光部の縁部に発光体を保持することもできるし、発光体を上記投光部の中心部に保持してもよい。
【００２５】
本願の請求項４に記載した発明は、上記反射投光部を透明材料で形成するとともに、上記反射投光部の内面又は外面に、外部から入射する光を反射できるとともに、上記発光体から上記本体ケース内に放射される光を外部へ投光できる凹凸を形成したものである。
【００２６】
上記透明材料の種類は特に限定されることはなく、種々の樹脂やガラス材料を採用できる。また、光が透過できればよく、半透明であっても着色が施されていてもよい。
【００２７】
また、上記凹凸の形態も特に限定されることはない。たとえば、本体ケースの内面あるいは外面にプリズムカットを施して、反射投光部を形成できる。プリズムカットは、入射した光をその方向へ反射する機能、すなわち、再帰反射機能を有するため、反射板に適する。
【００２８】
また、プリズムカットの形態も特に限定されることはないが、上述したように、発光体から放射される光を外部へ投光できるとともに、外部から入射する光を再帰反射できるように構成するのが好ましい。たとえば、発光体の周囲に同心円状の複数のプリズムカットを形成することができる。また、発光体の周囲の偏平面を凹状に形成し、外部から入射した光を反射できるとともに、発光体から側部に向かって放射される光も反射できるように構成することができる。
【００２９】
本願発明は、上記二つの機能を複合させて、反射板として外部から入射した光を反射できるとともに、発光体の側部から放射された光を集積して、上記投光部表面から外部に向けて投光できるように構成したものである。
【００３０】
本願の請求項５に記載した発明は、上記本体ケースの上記発光体を囲む部分に、発光体の側部から放射される光を上記投光部又は上記反射投光部へ導く導光部を設けたものである。発光体の周囲の部分から上記投光部に効率よく光を導くことにより、投光部から放射される光の強度を高めることができる。
【００３１】
上記導光部の形態は特に限定されることはない。上記反射投光部に連続する透明樹脂で形成することもできるし、反射板等と組み合わせて光が上記反射投光部に向けて放射される導光空間を形成してもよい。
【００３２】
また、請求項６に記載した発明のように、上記投光部又は上記反射投光部を除く本体ケースの内側面又は外側面に、本体ケース内に放射された光を反射する反射層を形成して、本体ケース内に放射された光を無駄なく利用して、投光部から投光される光の強度を高めることができる。
【００３３】
上記反射層を形成する手法は特に限定されることはない。たとえば、光を反射する特性の塗料を塗布することができる。また、光を反射する金属箔等を貼着してもよい。上記反射層は、本体ケースの内面のみならず、外面に設けることもできる。
【００３４】
本願の請求項７に記載した発明は、上記発光体の照射軸を上記回路基板と上記板状電池の積層方向に設定するとともに、上記発光体を上記回路基板と上記板状電池の積層部の側部に保持したものである。
【００３５】
通常、発光体の軸方向長さが大きいため、本体ケースの偏平面に直交する方向に光を投光しようとすると、本体ケースの厚さが大きくなって、携帯性が低下する。本願発明は、上記発光体を上記回路基板と上記板状電池の積層部の側部に保持することにより、上記発光体の投光軸を偏平面と直交する方向に設定しながら、本体ケースを薄くすることが可能となる。
【００３６】
さらに、請求項８に記載した発明のように、上記回路基板の中央部に穴部を設け、この穴部に上記発光体の基端部を埋め込むように保持するのが好ましい。
【００３７】
上記構成により、本体ケースの内部に回路基板と電池を積層した厚さだけの内部空間を確保すれば足り、本体ケースの厚さを格段に薄く形成することができる。
【００３８】
本願の請求項９に記載した発明は、上記本体ケースの縁部に一端を連結した弾性帯と、上記本体ケースの上縁部ないし側縁部に形成され、上記弾性帯を掛止できる掛止手段と、上記本体ケースにおける上記投光部又は反射投光部と反対側の偏平面に形成され、取付対象物に対接させられる対接部とを設け、上記対接部を上記取付対象物に当接させた状態で、上記弾性帯を上記取付対象物及び上記掛止手段に掛け回して、上記本体を上記取付対象物に取り付けるように構成したものである。
【００３９】
本願発明に係る携帯電灯は、偏平状に形成されるとともに全体寸法が非常に小さく、他の機器等に装着するための部材等を設けることは困難である。このため、本願発明では、本体ケース自体を利用して、取付対象物に取り付けることができるように構成している。
【００４０】
本願発明では、本体ケースの縁部に一端を連結した弾性帯を、取付対象物に掛け回すとともに、本体ケースの上部ないし側部に形成した掛止手段に掛止することにより、携帯電灯を棒状の部材に装着できる。
【００４１】
上記弾性帯の形態は特に限定されることはなく断面偏平状のもののみならず、円形状の弾性紐等を採用できる。また、ループを設けた弾性帯を採用するのが望ましい。上記ループを本体ケースの掛止手段に掛止できるため、弾性帯の先端に別途掛止部材等を設ける必要がなくなる。また、構造が簡単になるとともに製造コストを低減させることも可能となる。
【００４２】
上記掛止手段の形態は限定されることはなく、上記弾性帯を掛止できる溝、あるいは突起等の掛止手段を採用できる。紐状の弾性帯を採用すると、上記溝や突起の寸法を小さく設定することが可能となり、外観に悪い影響を与えることもない。
【００４３】
上記対接部は、取付対象物の表面形態に応じて形成すればよい。円筒内面状や球内面状に形成することにより、汎用性が高まり、種々の取付対象物に取り付けることができる。滑り止めを設けて構成することもできる。なお、取付対象物に設けた取付手段に応じた凹部を設けてもよい。
【００４４】
本願の請求項１０に記載した発明は、上記掛止手段として本体ケース縁部に形成した凹溝を形成したものである。
【００４５】
本願の請求項１１に記載した発明は、上記掛止手段として、上記本体ケース表面から突出する凸条又は突起を形成したものである。
【００４６】
本願の請求項１２に記載した発明は、上記対接部として凹部を形成したものである。
【００４７】
本願の請求項１３に記載した発明は、携帯電灯における投光方法に係る発明であり、本体ケースに保持された発光体から上記発光体の照射軸方向へ投光するとともに、上記発光体の上記照射軸方向以外の方向へ放射される光を上記本体ケースの所定部位から外部へ投光するものである。
【００４８】
発光体の照射軸以外の方向へ照射される光を利用しているため、発光体の性能を低下させることなく、従来にない投光効果を期待できる。また、好ましくは、上記発光体照射軸以外の方向へ放射される光を投光すると同時に、外部から入射する光を反射させるように構成するのが好ましい。
【００４９】
【発明の実施の形態】
以下、本願発明に係る小型携帯電灯を図に基づいて具体的に説明する。
【００５０】
図１から図１１に、本願発明に係る小型携帯電灯の第１の実施の形態を示す。
【００５１】
図１は携帯電灯１の正面図、図２は背面図である。これらの図に示すように、携帯電灯１は、正面視略３角形状のケース本体２を備え、上記三角形の一の頂部には、係止用フック３が連結されるとともに、他の一の頂部には、取付用の弾性帯４が連結されている。
【００５２】
図３から図６に、上記ケース本体２の、平面図、底面図、左側面図、右側面図をそれぞれ示す。なお、これらの図には、上記係止用フック３及び弾性体４を取り外した状態のケース本体２を示している。
【００５３】
上記本体ケース２は、半割り状に形成された上ケース部５と、下ケース部６とを組み合わせて形成されており、これら上下のケース部を組み合わせることにより、上記係止用フック３及び弾性帯４を連結する取付穴８，９を形成するように構成されている。また、図３に示すように、残りの頂部には、上記弾性帯４のループ状端部を掛止できる掛止部１０が形成されている。
【００５４】
図１に示すように、上記上ケース部５の上記係止フック３を連結した側の頂点近傍の偏平面１１に、ＬＥＤ発光体１２が、発光部１３の先端を露出するようにして保持されている。一方、上記偏平面１１の中央部には、上記発光体１２の点灯を行うスイッチ１４が設けられている。また、上記偏平面１１の中央部の広い領域に、後に説明する反射投光部１５が設けられている。
【００５５】
上記本体ケース２の内部には、図７及び図８に示す、回路基板１６と、２枚の円形板状電池１７，１７と、上記ＬＥＤ発光体１２と、上記スイッチ１４が収容される。
【００５６】
上記回路基板１６は、第８図に示すように、既知の基板材料を用いて上記電池１７とほぼ同様の大きさの平面視矩形状に形成されるとともに、片面にスイッチング回路１８が形成されている。上記スイッチング回路１８は、上記スイッチ１４によって開閉させられる接点１９ａ，１９ｂを備える接点部１９と、上記接点部１９を開閉することにより上記発光体１２を点灯あるいは消灯させる制御回路２０とを備えて構成されている。なお、上記スインッチング回路１８における上記接点部１９以外の部分は絶縁材料で被覆されている。
【００５７】
上記回路基板１６の他の片面には、上記回路基板１６の片面の接点２１にスルーホールを介して接続された銅線２２が添着されている。上記銅線２２は電池接点として設けられており、積層された電池１７の一方の電極２３ａに直接接触させられている。
【００５８】
上記回路基板１６の前縁部には、積層された上記電池１７，１７の他方の電極２３ｂへの接続を行うための接触アーム２４が接続されている。上記接触アーム２４は、上記電池１７，１７の側部を下方に向かう延出部２５と、この延出部２５の先端で屈曲されて他方の電極２３ｂに弾性的に接触する電池接点２６とを備える。二枚の板状電池１７，１７は、上記回路基板１６と上記電池接点２６との間において積層状態で保持される。本実施の形態では、円板状の電池を２枚直列に接続することにより高い電圧を発生させて、発光体の高い輝度を得ることができるように構成している。
【００５９】
上記発光体１２は、高輝度の白色ＬＥＤを採用している。第９図に示すように、その中心軸、すなわち投光軸１２ａを上記回路基板１６と電池１７，１７との積層方向に向けて、上記本体ケース２の頂部近傍に配置されている。上記発光体１２は、上記上ケース５に形成された上記保持孔２７から、先端部を外側に露出して保持されており、本体ケース２の偏平面１１に直交する方向に向けて光を照射することができるように構成されている。
【００６０】
上記発光体１２の後端部から延出するリード線２８は、３箇所で屈曲させられて、上記板状電池１７及び上記回路基板１６の側部をとおって、回路基板縁部の接点にハンダ接合されている。上記構成によって、本体ケース２の高さ方向の寸法を、上記発光体１２の軸方向長さとほぼ同じに設定することが可能となり、携帯電灯の小型化、薄型化を図ることができる。
【００６１】
上記スイッチ１４は、図７及び図９に示すように、弾性のある操作体３０を用いて導電性ゴム３１を上記回路基板１６の接点部１９に隙間を開けて保持して構成されている。
【００６２】
上記操作体３０は円筒状の上部３２と円錐外面状の裾部３３とを備え、下方に開口する中空状に形成されている。上記上部３２は、上記上ケース５に形成された貫通孔３４から外側に突出させられている。上記貫通孔３４は、上記裾部３３の外面形状に対応した内面状に形成されるとともに下縁部に、円筒内面を備える保持部３５が延出形成されている。一方、上記裾部３３の縁部は円筒外面状に形成されており、この縁部を上記保持部３５に嵌め込むようにして、上記操作体３０を上記貫通孔３４に保持できるように構成している。上記構成により、組み付け作業を容易に行えるとともに、上記上ケース５と下ケース６とを分離させた際にも、上記操作体３０が上記上ケース５から離脱することがなくなり、電池交換等を容易に行うことができる。
【００６３】
上記貫通孔３４の外側周縁部には円錐内面状に窪んだ凹部３６が形成されており、この凹部３６の中央部から上記上部３２が突出させられている。上記上部３２を下方に押圧することにより、上記裾部３３が変形させられて上記導電性ゴム３１が上記接点部１９に接触させられ、上記接点１９ａ，１９ｂが閉じられる。これにより、信号が出力されて上記発光体１２が点灯させられる。上記押圧力を解除すると、上記裾部３３の弾力によって上記導電性ゴム３１が上記接点部１９から持ち上げられる。本実施の形態では、制御回路２０を設けることにより、上記接点部１９を繰り返し開閉することにより、常時点灯と、間欠点灯（フラッシング）と、消灯とを順次選択できるように構成している。
【００６４】
本実施の形態に係る上記凹部３６は、上記上ケース５の偏平面１１の境界部の直径が約７ｍｍ、上記上ケース５の外面からの深さを約０．７ｍｍに設定している。上記上部３２は上記凹部３６から外方へ突出しない高さに設定されており、使用者の手指の腹を上記凹部３６内へ押し入れるようにして、上記上部３２を押圧操作する。上記構成によって、ポケット等に入れて持ち歩いた場合等においても、誤って発光体が点灯することがなくなる。また、スイッチ部１４の厚さ方向寸法を非常に小さく設定することが可能となり、本体ケース２の薄型化を図ることが可能となる。
【００６５】
図９に示すように、本実施の形態では、上記反射投光部１５は、表面側が平坦に形成される一方、内面にプリズムカット部４０が形成されている。図１０に示すように、上記プリズムカット部４０は、互いに直角に交わる方形斜面から構成された三角錐状の突起１５ｂを隙間なく配列して構成されている。上記反射投光部１５は、上記発光体１２を保持した保持穴２７に隣接するように形成されている。また、上記プリズムカット部４０と上記回路基板１６の間には、導光空間３７が設定されている。
【００６６】
上記発光体１２を点灯すると、発光体の先端部から投光される光は、投光軸に沿って投光される一方、発光体１２の側部から放射される光は、上記保持穴２７の表面から上ケース内に入射し、あるいは上記保持穴の周囲から上記導光空間３７に放射された光が、上記プリズムカット部４０の表面から上記反射投光部１５内に入射する。そして、上記反射投光部１５の表面から、外部に向けて投光される。上記構成によって、発光体１２の側部に放射される光を有効に利用して、本体ケース２の外部に放射できる。
【００６７】
しかも、上記プリズムカット部４０を設けることにより、外部から上記反射投光部１５に入射した光を再帰反射することが可能となる。これにより、上記発光体１２が投光軸に沿って直接的に投光する光と、上記反射投光部１２から投光される光と、上記外部から入射した光とを、本体ケースの偏平面１１から同じ方向に向けて投光できる。このため、上記偏平面１１に対する視認性が格段に高まる。
【００６８】
また、本実施の形態では、発光体１２の側部へ放射される光を利用して反射投光部１５から投光を行うため、上記発光体１２の光軸方向１２ａへ投光される光の強度が低下することはない。したがって、従来と同様に、輝度の高い小型携帯電灯を提供できるとともに、安全灯として使用した場合にも、高い視認効果を期待することができる。
【００６９】
第１１図に、本願発明に係る携帯電灯１を自転車等のシートポスト４１に装着した状態を示す。
【００７０】
本願発明に係る本体ケース２の一つの頂部に設けた取付穴９に一端を連結した弾性帯４を上記シートポスト４１に掛け回して、先端のループ部を上記掛止部１０に掛止する。上記本体ケース２の下ケース部６には、円筒内面状の凹部３８が形成されている。この凹部３８をシートポスト４１の外面に添着するようにして、上記弾性帯４を掛け回す。これにより、携帯電灯１をシートポスト等にきわめて容易に装着することが可能となり、後方を照らす照明灯あるいは安全灯として使用できる。
【００７１】
また、上記反射投光部１５を設けているため、通常設けられる反射板として使用することもできる。しかも、外部から入射した光を反射できるとともに、上記反射投光部を発光させることができるため視認性が格段に高まる。
【００７２】
図１２から図１４に、本願発明に第２の実施の形態を示す。
【００７３】
第２の実施の携帯に係る携帯電灯２０１は、発光体２１２を反射投光部２１５の中央部に設けたものである。
【００７４】
本体ケースの中央部には基板が収容されているため、上記発光体２１２を基板面に設けると、本体ケース２０２の厚さが非常に大きくなる。一方、上記反射投光部２１５は、本体ケース２０２の偏平面２１１の中央部の広い範囲に渡って形成されるため、発光体２１２を上記反射投光部の中央に設けることは困難である。
【００７５】
本実施の形態では、直径の小さい円板状電池２１７を、基板２１６に積層配置するとともに、上記電池２１７の中央間隙に対応する部分の基板部分に上記発光体２１２を収容できる穴部２３５を形成する。そして、この穴部２３５に、保持穴２２７に上記発光体を保持する導光部２４２を延入させている。
【００７６】
上記構成によって、本体ケース２０２の厚さを増加させることなく、上記発光体２１２を保持することが可能となる。
【００７７】
図１３に示すように、上記導光部２４２は、上記発光体２１２の周囲に形成されており、発光体２１２の側部から放射される光を集める機能を発揮する。本実施の形態では、上記発光体２１２を反射投光部２１５の中央部分に設けているため、発光体２１２の側部から放射される光を、上記導光部２４２を介して上記反射投光部２１５に効率よく導くことが可能となる。
【００７８】
また、図１４に示すように、上記反射投光部２１５の内面には、光を反射できる塗料を塗布して反射層２４３が形成されている。このため、外部から入射した光を効率よく反射できるとともに、発光体２１２の側部から放射された光が、本体ケース内に漏れることもなく上記反射投光部２１５から効率よく投光することが可能となる。
【００７９】
図１５に、本願発明の第３の実施の形態を示す。図１５に示す実施の形態は、本体ケース３０２の反射投光部３１５を除く内面部分に、光を反射できる塗膜を形成して反射層３１４を設けたものである。上記反射層３４３を設けることにより、発光体３１２から本体ケース３０２の内部に放射された光を、上記反射投光部３１５から効率よく放射することができる。
【００８０】
図１６に、本願発明の第４の実施の形態を示す。図１６に示す実施の形態は、反射投光部４１５を設けた本体ケース４０２の厚さを、発光体４１２から遠ざかるにしたがって次第に厚く設定し、上記発光体４１２から側方へ放射される光を反射投光部４１５の内面に設けた凹凸４１５ｂから本体ケース内に効率良く導入して、投光面４１５ａから投光しようとするものである。
【００８１】
反射投光部４１５の内面には、コーナーキューブ状の凹凸４１５ｂが、上記発光体４１２の投光軸を中心とした同軸状に形成されている。上記凹凸は、発光体４１２から離れるにしたがって下方に変位するように配置されている。このため、発光体４１２の側面から放射された光は、遠方に位置する凸部にも入射され、投光面４１５ａに導くことが可能となる。
【００８２】
本願発明の範囲は、上述の実施の形態に限定されることはない。実施の形態では、略３角形状のケース本体を備える携帯電灯に本願発明を適用したが、他の形態のケース本体を備える携帯電灯に本願発明を適用することができる。
【００８３】
また、実施の形態は、反射投光部の内面に凹凸を設けて、外部から入射される光を反射できるとともに、発光体から放射される光を外部へ放射できるように形成したが、凹凸の形態等のは上記構成に限定されることはない。
【００８４】
また、反射投光部を構成する本体ケースの壁部に凹凸のある空洞を形成して、上記反射投光部を構成することもできる。
【００８５】
また、実施の携帯では、本体ケースの内面に凹凸を形成して、反射投光部を形成したが、本体の外面に凹凸を形成して反射投光部を形成することもできる。
【図面の簡単な説明】
【図１】本願発明の第１の実施の形態に係る携帯電灯の正面図である。
【図２】図１に示す携帯電灯の背面図である。
【図３】図１に示す携帯電灯の平面図である。
【図４】図１に示す携帯電灯の底面図である。
【図５】図１に示す携帯電灯の左側面図である。
【図６】図１に示す携帯電灯の右側面図である。
【図７】発光体、回路基板、電池及びスイッチを示す側面図である。
【図８】図７に示す発光体及び回路基板の正面図である。
【図９】図１におけるＩＸ−ＩＸ線に沿う断面図である。
【図１０】反射投光部の内面に設けた凹凸形状を模式的に示す斜視図である。
【図１１】図１に示す携帯電灯を自転車のシートポストに装着した状態を示す平面図である。
【図１２】第２の実施の形態に係る携帯電灯の正面図である。
【図１３】図１２に示す携帯電灯のＸＩＩＩ−ＸＩＩＩ線に沿う断面図である。
【図１４】図１３に示す携帯電灯の要部拡大断面図である。
【図１５】第３の実施の形態を示す本体ケースの断面図である。
【図１６】第４の実施の形態を示す本体ケースの要部断面図である。
【符号の説明】
１　携帯電灯
２　本体ケース
１１　偏平面
１２　ＬＥＤ発光体
１３　発光部
１４　スイッチ部
１５　投光部（反射投光部）
１６　回路基板
１７　板状電池
２８　リード線
【図１】
2004103413.tif 000003
【図２】
2004103413.tif 000004
【図３】
2004103413.tif 000005
【図４】
2004103413.tif 000006
【図５】
2004103413.tif 000007
【図６】
2004103413.tif 000008
【図７】
2004103413.tif 000009
【図８】
2004103413.tif 000010
【図９】
2004103413.tif 000011
【図１０】
2004103413.tif 000012
【図１１】
2004103413.tif 000013
【図１２】
2004103413.tif 000014
【図１３】
2004103413.tif 000015
【図１４】
2004103413.tif 000016
【図１５】
2004103413.tif 000017
【図１６】
2004103413.tif 000018